(57)【特許請求の範囲】
【請求項１】
上方に複数の突出部が形成され、前記突出部に太陽光パネルを支持するための第１支持台及び第２支持台が形成される上部体、及び側面から翼部が突設され、下面が下方に突設される下部体から構成される浮力体と、
箱状に形成され、前記浮力体を縦方向又は横方向に連結する連結体とを含み、
前記翼部は、平板状に形成され、前記下部体の４つの側面の全てに形成され、
前記翼部が前記連結体に結合されることにより前記浮力体が前記連結体に結合され、
前記連結体の側面に連結翼部が形成され、
前記連結体は、第１連結体と、前記第１連結体より短く形成される第２連結体とを含み、
前記第２連結体の第２連結翼部は、幅方向部が長手方向部より低く、段差を有するように形成されることを特徴とする太陽光パネル支持体。
【請求項２】
前記第２支持台には、前記太陽光パネルを取り付けるための取付け部が形成されることを特徴とする請求項１に記載の太陽光パネル支持体。
【請求項３】
前記取付け部は、レールで構成されることを特徴とする請求項２に記載の太陽光パネル支持体。
【請求項４】
前記第１支持台及び前記第２支持台の一側に結合溝が形成され、前記結合溝に挿入されるクランプ及びボルトにより前記太陽光パネルが固定結合されることを特徴とする請求項１〜３のいずれか一項に記載の太陽光パネル支持体。
【請求項５】
前記第１支持台の一部に空気孔が形成されることを特徴とする請求項１〜４のいずれか一項に記載の太陽光パネル支持体。
【請求項６】
前記空気孔に一方向バルブが備えられることを特徴とする請求項５に記載の太陽光パネル支持体。
【請求項７】
前記翼部に複数の第１ネジ孔が形成されることを特徴とする請求項１〜６のいずれか一項に記載の太陽光パネル支持体。
【請求項８】
前記下面が流線形状に形成されることを特徴とする請求項１〜７のいずれか一項に記載の太陽光パネル支持体。
【請求項９】
前記上部体と前記下部体とが一体に形成されることを特徴とする請求項１〜８のいずれか一項に記載の太陽光パネル支持体。
【請求項１０】
前記連結体の側面周囲に沿って凹溝部が形成され、前記凹溝部に前記翼部が挿入されることを特徴とする請求項１〜９のいずれか一項に記載の太陽光パネル支持体。
【請求項１１】
前記第２連結体の長手方向の側面には第２凹溝部が形成されて前記凹溝部に連通し、前記第２連結体の幅方向の側面には第２連結翼部が形成されて前記連結体の幅方向の凹溝部に結合されることを特徴とする請求項１０に記載の太陽光パネル支持体。
【請求項１２】
複数の浮力体を連結して固定するために前記翼部に結合される支持管をさらに含むことを特徴とする請求項１〜１１のいずれか一項に記載の太陽光パネル支持体。
【請求項１３】
前記連結体は、側面に剛性補強のためのリブが複数形成されることを特徴とする請求項１〜１２のいずれか一項に記載の太陽光パネル支持体。
【請求項１４】
前記第２連結体の幅方向の側面部には、凹溝が形成されることを特徴とする請求項１に記載の太陽光パネル支持体。
【請求項１５】
前記浮力体及び前記連結体の内部空間には、発泡スチロール、土砂類、石材又は鉄材を充填することができることを特徴とする請求項１〜１４のいずれか一項に記載の太陽光パネル支持体。
【請求項１６】
前記第１支持台には積載用溝が形成され、前記第２支持台には積載用突起が形成されることを特徴とする請求項１〜１５のいずれか一項に記載の太陽光パネル支持体。
【発明の詳細な説明】
【技術分野】
【０００１】
本発明は、太陽光発電システムに関し、特に、太陽光発電システムに適用される太陽光パネル支持体に関する。
【背景技術】
【０００２】
一般に、太陽光発電システムは、太陽電池を用いて太陽光エネルギーを電気エネルギーに変換して発電を行う。
【０００３】
太陽光発電システムの発電効率は、太陽光の照射量に大きく左右され、温度にも影響される。太陽光発電システムの発電効率を向上させるためには、太陽光の照射量が多く涼しい場所が有利であり、広い敷地が必要である。よって、太陽光発電システムは、陸上では敷地選定の困難などにより小規模で設置されることが多く、近年、水上に設置して効率性を向上させる事例が多い。陸上では建物の屋上などに設置されることが多く、水上では水位と波高が低い水面上に設置されることが多い。
【０００４】
このような太陽光発電システムにおいて必須である太陽光モジュールは、一般に太陽電池で構成されており、接続盤とインバータにより電気を供給する。太陽光モジュールは、鋼や鉄又はアルミニウムプロファイルなどで構成された構造物に固定されて設置され、構造物の方式によって固定型、単軸型、両軸型などに分けられる。
【０００５】
このように、太陽光モジュールを支持するための支持構造物が必要であるが、水上では、水上環境の特性を活用できるように浮力体を用いる支持構造物が開発されている。このような例として、特許文献１の「パネル支持装置（Panel Supporting Device）」を参照することができる。
【０００６】
前記パネル支持装置においては、下壁３、上壁４及び側壁５、６、７、８からなるプラスチックジャケット２の内部には浮揚力により水面に浮くように空気を含む空間が形成されており、上壁４には太陽光モジュールを支持するための手段が備えられている。
【０００７】
また、前記パネル支持装置には、プラスチックジャケット２を縦横に複数連結するための連結部材３０が設けられている。連結部材３０は、メンテナンスのために作業者が踏んで通ることができるように、連結通路としての機能も果たす。
【先行技術文献】
【特許文献】
【０００８】
【特許文献１】国際公開第２０１２／１３９９９８号
【発明の概要】
【発明が解決しようとする課題】
【０００９】
しかし、前記パネル支持装置においては、プラスチックジャケット２に太陽光モジュールを取り付けるための弾性固定体６１、６２、６３、６４がスライド方式であるので、メンテナンスが困難な場合があるという問題があった。これは、メンテナンスのために作業者が連結部材３０を踏むとモジュールに撓みが発生するからである。
【００１０】
また、プラスチックジャケット２の下部には水面との間に密閉空間が形成されており、浮遊物が溜まるという問題があった。
【００１１】
本発明は、このような問題を解決するためになされたものであり、モジュールに撓みが発生せず、内部に浮遊物が溜まらない取付け部太陽光パネル支持体を提供することを目的とする。
【課題を解決するための手段】
【００１２】
本発明の一実施形態による太陽光パネル支持体は、上方に複数の突出部が形成され、前記突出部に太陽光パネルを支持するための第１支持台及び第２支持台が形成される上部体、及び側面から翼部が突設され、下面が下方に突設される下部体から構成される浮力体と、箱状に形成され、前記浮力体を縦方向又は横方向に連結する連結体とを含み、前記翼部が前記連結体に結合されることにより前記浮力体が前記連結体に結合されることを特徴とする。
【００１３】
ここで、前記第２支持台には、前記太陽光パネルを取り付けるための取付け部取付け部が形成されることを特徴とする。
【００１４】
また、前記取付け部は、レールで構成されることを特徴とする。
【００１５】
また、前記第１支持台及び前記第２支持台の一側に結合溝が形成され、前記結合溝に挿入されるクランプ及びボルトにより前記太陽光パネルが固定結合されることを特徴とする。
【００１６】
また、前記第１支持台の一部に空気孔が形成されることを特徴とする。
【００１７】
また、前記空気孔に一方向バルブが備えられることを特徴とする。
【００１８】
また、前記翼部に複数の第１ネジ孔が形成されることを特徴とする。
【００１９】
また、前記下面が流線形状に形成されることを特徴とする。
【００２０】
また、前記上部体と前記下部体とが一体に形成されることを特徴とする。
【００２１】
また、前記連結体の側面周囲に沿って凹溝部が形成され、前記凹溝部に前記翼部が挿入されることを特徴とする。
【００２２】
また、前記太陽光パネル支持体は、前記連結体と前記連結体との間に介在する第２連結体をさらに含むことを特徴とする。
【００２３】
また、前記第２連結体の長手方向の側面には第２凹溝部が形成されて前記凹溝部に連通し、前記第２連結体の幅方向の側面には第２翼部が形成されて前記連結体の幅方向の凹溝部に結合されることを特徴とする。
【００２４】
また、前記太陽光パネル支持体は、複数の浮力体を連結して固定するために前記翼部に結合される支持管をさらに含むことを特徴とする。
【００２５】
本発明の他の実施形態による太陽光パネル支持体は、上方に太陽光パネルを支持するための複数の突出部が形成され、側面に上部翼部が形成される上部体、及び側面から下部翼部が突設され、下面が下方に突設される下部体から構成される浮力体と、箱状に形成され、側面から連結翼部が突設され、前記浮力体を縦方向又は横方向に連結する連結体とを含み、前記上部翼部と前記下部翼部とを結合して主翼部を構成し、前記連結翼部が前記主翼部に結合されることにより前記浮力体が前記連結体に結合されることを特徴とする。
【００２６】
ここで、前記突出部には、前記太陽光パネルを支持するための第１支持台及び第２支持台が形成されることを特徴とする。
【００２７】
また、前記第１支持台及び前記第２支持台には、前記太陽光パネルを固定するためのクランプの結合のために、クランプ取付け部が形成されることを特徴とする。
【００２８】
また、前記下部体の中央部には、支持部が上方に突設されることを特徴とする。
【００２９】
また、前記上部体の中央部には、上部通気部が凹状に形成され、前記支持部には、前記上部通気部に連通する下部通気部が凹状に形成されることを特徴とする。
【００３０】
また、前記上部翼部には、縁部に沿って上部シワが複数形成され、前記下部翼部には、縁部に沿って前記上部シワに対応する下部シワが形成されることを特徴とする。
【００３１】
また、前記上部翼部と前記下部翼部とが当接して結合されると、前記上部シワと前記下部シワとの間に間隙が形成されることを特徴とする。
【００３２】
また、前記上部翼部の端部は、縁部に沿って鉤状に折り曲げられて形成されることを特徴とする。
【００３３】
また、前記浮力体及び前記連結体は、上面にスリップ防止突起が縦横に複数配列されて形成され、下面にスリップ防止溝が縦横に複数配列されて形成されることを特徴とする。
【００３４】
また、前記連結体は、側面に剛性補強のためのリブが複数形成されることを特徴とする。
【００３５】
また、前記連結体は、第１連結体と、前記第１連結体より短く形成される第２連結体とを含むことを特徴とする。
【００３６】
また、前記第２連結体の第２連結翼部は、幅方向部が長手方向部より低く、段差を有するように形成されることを特徴とする。
【００３７】
また、前記第２連結体の幅方向の側面部には、凹溝が形成されることを特徴とする。
【００３８】
また、前記浮力体及び前記連結体の内部空間には、発泡スチロール、土砂類、石材又は鉄材を充填することができることを特徴とする。
【００３９】
また、前記第１支持台には積載用溝が形成され、前記第２支持台には積載用突起が形成されることを特徴とする。
【発明の効果】
【００４０】
本発明による太陽光パネル支持体においては、太陽光パネルがクランプ及びボルトにより浮力体に安定して固定されるので、遊動が発生しないという効果がある。
【００４１】
また、各モジュールが連結体及び第２連結体に固定結合されるので、モジュールに撓みが発生することなく安定して維持されるという効果がある。これにより、作業者が連結体を踏んでメンテナンスを行うことが容易になるという効果がある。
【００４２】
さらに、支持体の内部に浮遊物が溜まらず、清潔に維持されるので、メンテナンスの手間が少なくなるという効果がある。
【図面の簡単な説明】
【００４３】
【図１】本発明の一実施形態による太陽光パネル支持体を示す斜視図である。
【図２】本発明の一実施形態による太陽光パネル支持体の浮力体の（ａ）平面図、（ｂ）側面図及び（ｃ）背面図である。
【図３】本発明の一実施形態による太陽光パネル支持体と太陽光パネルの結合を説明するための図である。
【図４】本発明の一実施形態による太陽光パネル支持体の連結体の（ａ）平面図、（ｂ）側面図及び（ｃ）正面図である。
【図５】本発明の一実施形態による太陽光パネル支持体の第２連結体の（ａ）平面図、（ｂ）側面図及び（ｃ）正面図である。
【図６】本発明の一実施形態による太陽光パネル支持体に支持管が適用された状態を示す斜視図である。
【図７】本発明の他の実施形態による太陽光パネル支持体に太陽光パネルが結合された状態を示す斜視図である。
【図８】図７の部分詳細図である。
【図９】図７の底面斜視図である。
【図１０】図７の連結体の正面図である。
【図１１】図７の右側面図である。
【図１２Ａ】図７の浮力体の底面斜視図である。
【図１２Ｂ】図１２Ａの上部体の斜視図である。
【図１２Ｃ】図１２Ａの上部体の底面図である。
【図１２Ｄ】図１２Ａの下部体の斜視図である。
【図１３】図７の浮力体の断面図である。
【図１４Ａ】図７の第１連結体の斜視図である。
【図１４Ｂ】図７の第１連結体の底面斜視図である。
【図１４Ｃ】図７の第１連結体の正面図である。
【図１４Ｄ】図７の第１連結体の側面図である。
【図１５Ａ】図７の第１連結体の上部体の斜視図である。
【図１５Ｂ】図７の第１連結体の下部体の斜視図である。
【図１６】図７の第２連結体の（ａ）斜視図、（ｂ）底面斜視図、（ｃ）正面図及び（ｄ）側面図である。
【図１７Ａ】図７の第２連結体の上部体の斜視図である。
【図１７Ｂ】図７の第２連結体の下部体の斜視図である。
【図１８】浮力体の積載状態を示す側面図である。
【発明を実施するための形態】
【００４４】
以下、添付図面を参照して本発明の好ましい実施形態を説明するが、これは本発明の属する技術の分野における通常の知識を有する者が本発明を容易に実施できる程度に詳細に説明するためのものであり、これにより本発明の技術的な思想及び範疇が限定されるものではない。
【００４５】
本明細書における構成要素名は、上部と下部の対で構成される場合、それらをまとめて示す用語とそれぞれを示す用語を区分して用いることができる。例えば、シワ１１９、１２９は、上部シワ１１９と下部シワ１２９をまとめて示すものである。
【００４６】
以下、図１〜図６を参照して本発明の一実施形態による太陽光パネル支持体について詳細に説明する。
【００４７】
図１は本発明の一実施形態による太陽光パネル支持体を示す斜視図である。図２は本発明の一実施形態による太陽光パネル支持体の浮力体の（ａ）平面図、（ｂ）側面図及び（ｃ）背面図である。図３は本発明の一実施形態による太陽光パネル支持体と太陽光パネルの結合を説明するための図である。図４は本発明の一実施形態による太陽光パネル支持体の連結体の（ａ）平面図、（ｂ）側面図及び（ｃ）正面図であり、図５は本発明の一実施形態による太陽光パネル支持体の第２連結体の（ａ）平面図、（ｂ）側面図及び（ｃ）正面図である。
【００４８】
本発明の一実施形態による太陽光パネル支持体は、上方に複数の突出部１２が形成され、突出部１２に太陽光パネル３０を支持するための第１支持台１３及び第２支持台１４が形成される上部体１１、及び側面から翼部２１が突設され、下面２２が下方に突設される下部体２０から構成される浮力体１０と、箱状に形成され、浮力体１０を縦方向又は横方向に連結する連結体４０とを含み、翼部２１が連結体４０に結合されることにより、浮力体１０が連結体４０に結合されることを特徴とする。
【００４９】
浮力体１０は、概して箱状に形成される。浮力体１０は、重量が軽く、浮力を得やすく、経済性を有するように、合成樹脂物で形成されてもよい。
【００５０】
浮力体１０は、前述したように上部体１１と下部体２０とから構成されてもよい。上部体１１には、上方に複数の突出部１２が突設されている。一例として、上部体１１に突出部１２が縦横に２つずつ形成された浮力体１０を示す。突出部１２は、下面が開放されているので、内部に空気が入る。これにより、上部体１１は浮力を受ける。
【００５１】
各突出部１２には、太陽光パネル３０を支持するための支持台１３、１４が形成されている。上列の突出部１２に第１支持台１３が形成され、下列の突出部１２に第２支持台１４が形成されるようにしてもよい。また、第１支持台１３が第２支持台１４より高く形成されるようにしてもよい。これにより、太陽光パネル３０が傾斜面をなし、太陽光エネルギーを効果的に取り込むことができる。第１支持台１３は、２つの突出部１２にわたって形成されてもよい。第２支持台１４の上部には、太陽光パネル３０を固定及び支持するために内側に凹んだＬ字状の取付け部１５が形成されてもよい。これにより、太陽光パネル３０が第２支持台１４の取付け部１５に載置されるだけで、下部に滑り落ちることなく、容易に固定することができる。さらに、第１支持台１３の上部にも、太陽光パネル３０の固定のための取付け部が選択的に形成してもよい。
【００５２】
また、第１支持台１３及び第２支持台１４も、下面が開放されており、内部が空いている。つまり、第１支持台１３の内部と突出部１２の内部が連通して下部空間を形成する。
【００５３】
一方、第２支持台１４の取付け部１５は、別途のレールで構成されてもよい。第２支持台１４の取付け部１５が別途の部品で構成されることにより、太陽光パネル３０を支持する取付け部１５が破損した場合、レールを交換するだけで済むので、修理が容易になる。
【００５４】
第１支持台１３及び第２支持台１４に載置された太陽光パネル３０を安定して固定するために、第１支持台１３及び第２支持台１４の外側には、結合溝１６が形成されてもよい。太陽光パネル３０は、第２支持台１４の取付け部１５にかけられ、第１支持台１３の結合溝１６と第２支持台１４の結合溝１６に挿入されるクランプ１８及びボルト１７により結合される。
【００５５】
第１支持台１３の背面部には空気孔１９が形成されており、第１支持台１３の内部に形成された空気が膨張すると空気孔１９から空気が排出されるようになっている。空気孔１９には、内部の空気は排出し、かつ外部の異物は内部に流入しないように、一方向バルブ１９ａが備えられてもよい。
【００５６】
下部体２０は、翼部２１と下方に突設された下面２２とからなる。下部体２０は、上面が開放されるように形成される。上部体１１と下部体２０とは結合されて一体となる。これにより、上部体１１の内部空間と下部体２０の内部空間とが連通し、１つの内部空間を形成する。ここで、上部体１１と下部体２０とは前記内部空間を囲む外形を形成する。
【００５７】
翼部２１は、下部体２０の４つの側面の全てに形成される。翼部２１は、平板状に形成されてもよい。翼部２１には、後述する連結体４０との結合のために、複数の第１ネジ孔２３が形成される。
【００５８】
下部体２０の下面２２は、水の抵抗が少なくなるように、流線形状に形成されることが好ましい。
【００５９】
実施形態によっては、上部体１１と下部体２０とが一体型に形成されてもよい。この場合、浮力体１０は内部空間を囲む外形を形成する。
【００６０】
連結体４０は、長い長方形の箱状に形成されてもよい。連結体４０には、側面周囲に沿って凹溝部４１が形成される。また、連結体４０には、上下面を貫通する第２ネジ孔４２が形成される。浮力体１０の翼部２１が連結体４０の凹溝部４１に挿入されることにより、浮力体１０が連結体４０に結合される。さらに、連結体４０の第２ネジ孔４２と翼部２１の第１ネジ孔２３を貫通する固定ピン５０により、浮力体１０が連結体４０に結合される。また、連結体４０の一側面には、空気孔４３及び一方向バルブ４３ａが設けられており、内部の膨張した空気を放出することができる。
【００６１】
さらに、連結体４０を長くつなぐために、第２連結体４５が設けられる。第２連結体４５は、連結体４０と同様に、長方形の箱状に形成されてもよい。第２連結体４５の長手方向の側面には、第２凹溝部４６が形成される。また、第２連結体４５には、上下面を貫通する第３ネジ孔４７が形成される。第２連結体４５の第２凹溝部４６は、連結体４０の凹溝部４１に連通し、浮力体１０の翼部２１が挿入される。さらに、第２連結体４５の第３ネジ孔４７と翼部２１の第１ネジ孔２３を貫通する固定ピン５０により、浮力体１０が第２連結体４５に結合される。また、第２連結体４５の一側面には、空気孔４８及び一方向バルブ４８ａが設けられており、内部の膨張した空気を放出することができる。
【００６２】
第２連結体４５の幅方向の側面には、第２翼部４９が突設されてもよい。第２連結体４５の第２翼部４９が連結体４０の幅方向の凹溝部４１に挿入されることにより、連結体４０と第２連結体４５とがつながる。連結体４０と第２連結体４５とを所望の長さとなるまで交互に連結し、連結部４０、４５に浮力体１０を複数結合することにより、連結部４０、４５と浮力体１０が横方向に一列に長く配置された太陽光パネル支持体を製造することができる。さらに、前記太陽光パネル支持体の列を縦方向に複数結合することにより、縦横に形成された太陽光パネル支持体モジュールを製造することができる。
【００６３】
図６は本発明の一実施形態による太陽光パネル支持体に支持管が適用された状態を示す斜視図である。縦横に形成された太陽光パネル支持体モジュールをより安定して支持するために、当該モジュールの周辺を囲む支持管５５が設けられてもよい。支持管５５は、鋼管からなるようにしてもよい。支持管５５は、当該モジュールの縁部を構成する翼部２１の第１ネジ孔２３に固定してもよい。ここで、支持管５５は、丸管、角管、アルミニウムプロファイル、ロープなどからなるようにしてもよい。
【００６４】
以下、図７〜図１７を参照して本発明の他の実施形態による太陽光パネル支持体について詳細に説明する。本実施形態においては、前述した実施形態と同様の事項については説明を省略し、異なる事項に限って説明する。
【００６５】
本発明の他の実施形態による太陽光パネル支持体は、上方に太陽光パネル３０を支持するための複数の突出部１１２が形成され、側面に上部翼部１１１ａが形成される上部体１１１、及び側面から下部翼部１２２が突設され、下面が下方に突設される下部体１２１から構成される浮力体１１０と、箱状に形成され、側面から連結翼部１４３、１４７が突設され、浮力体１１０を縦方向又は横方向に連結する連結体１４０とを含み、上部翼部１１１ａと下部翼部１２２とを結合して主翼部１１１ａ、１２２を構成し、連結翼部１４３、１４７が主翼部１１１ａ、１２２に結合されることにより浮力体１１０が連結体１４０に結合されることを特徴とする。
【００６６】
浮力体１１０が上部体１１１及び下部体１２１から構成されることは、前述した実施形態と同様である。
【００６７】
上部体１１１には突出部１１２が複数形成されており、突出部１１２には太陽光パネル３０を支持するための第１支持台１１３及び第２支持台１１４が形成されている。
【００６８】
上部体１１１には、側面から上部翼部１１１ａが突設されている。上部翼部１１１ａは、上部体１１１の下面から延設されてもよい。上部翼部１１１ａには、縁部に沿って内側に上部シワ１１９が２列に形成される。また、上部翼部１１１ａの端部は、縁部に沿って鉤状に折り曲げられて形成される。
突出部１１２には、スリップ防止突起１１２ａが縦横に複数交差配列される。
【００６９】
第１支持台１１３及び第２支持台１１４には、それぞれクランプ１１８の結合のためのクランプ取付け部１１３ａ、１１４ａが形成されてもよい。クランプ取付け部１１３ａ、１１４ａは、凹部からなるようにしてもよい。また、クランプ取付け部１１３ａ、１１４ａには、それぞれ螺合のためのネジ孔１１３ｂ、１１４ｂが形成されてもよい。なお、太陽光パネル３０がクランプ１１８により上部体１１１に固定された状態を図８に示す。
【００７０】
上部体１１１の中央部には、冷却のための上部通気部１１５が凹状に形成される。
下部体１２１は、側面から延設される下部翼部１２２と、下方に突設される下面１２３とからなる。下部翼部１２２には、縁部に沿って内側に上部シワ１１９に対応する下部シワ１２９が２列に形成される。
【００７１】
下面１２３の中央部には、支持部１２４が上方に突設される。支持部１２４は、下部翼部１２２の高さまで突設されることが好ましい。これにより、上部体１１１と下部体１２１とが結合されたとき、支持部１２４が上部体１１１の底面に当接することにより、結合力及び支持力が向上する。
【００７２】
支持部１２４には、上部通気部１１５に連通する下部通気部１２５が凹状に形成される。下面１２３には、スリップ防止溝１２３ａが縦横に複数交差配列される。
【００７３】
上部体１１１と下部体１２１とは、上部翼部１１１ａと下部翼部１２２とが当接することにより結合される（図１３参照）。ここで、上部翼部１１１ａと下部翼部１２２とを結合して主翼部１１１ａ、１２２を構成する。上部翼部１１１ａの上部シワ１１９と下部翼部１２２の下部シワ１２９との間に間隙が形成され、当該間隙にシリコンを投入して上部体１１１と下部体１２１とを貼り合わせる。すると、上部翼部１１１ａの端部は鉤状に折り曲げられて形成され、下部翼部１２２は一字状に形成されているので、上部翼部１１１ａが下部翼部１２２を覆うように嵌められる。その後、シワ１１９、１２９に沿って所定の間隔でリベット１３０により結合する。安定した結合のために、上部翼部１１１ａ及び下部翼部１２２の端部は、縁面に沿って溶接を行ってもよい。
【００７４】
一方、上部体１１１と下部体１２１とを結合する際には、内部空間Ｓ１、Ｓ２に発泡スチロールなどの浮力物質を充填してもよい。これにより、浮力体１１０が個別に設置された場合も浮力を受けて水面に浮きやすくすることができる。
【００７５】
また、浮力体１１０の主翼部１１１ａ、１２２には、連結体１４０との結合のためのネジ孔１１６が複数形成される。
【００７６】
連結体１４０は、長く形成される第１連結体１４１と、短く形成される第２連結体１５１とから構成され、第１連結体１４１と第２連結体１５１とが交互に連結される方式で結合されるようにしてもよい。
【００７７】
第１連結体１４１は、第１上部体１４２及び第１下部体１４６から構成される。第１上部体１４２は、下面が開放された箱状に形成され、下部には第１上部翼部１４３が側方に突設される。第１上部翼部１４３には、上部翼部１１１ａの上部シワ１１９と同様に、縁部に沿って内側に第１上部シワ１４３ａが２列に形成される。
【００７８】
第１上部体１４２の上面には、スリップ防止突起１４２ａが縦横に複数交差配列され、第１上部体１４２の側面には、剛性補強のためのリブ１４２ｂが複数形成される。また、第１上部体１４２の一側面には、空気孔１４４及び一方向バルブ１４５が設けられてもよい。
【００７９】
第１下部体１４６は、上面が開放された箱状に形成され、上部には第１下部翼部１４７が側方に突設される。第１下部翼部１４７には、下部翼部１２２の下部シワ１２９と同様に、縁部に沿って内側に第１下部シワ１４７ａが２列に形成される。
【００８０】
第１下部体１４６の下面には、スリップ防止溝１４６ａが縦横に複数交差配列され、第１下部体１４６の側面には、剛性補強のためのリブ１４６ｂが複数形成される。
【００８１】
第１上部翼部１４３と第１下部翼部１４７とが当接して結合されて第１連結翼部１４３、１４７を構成する。
【００８２】
第１上部体１４２と第１下部体１４６との結合は、上部体１１１と下部体１２１とを結合する方式と同様に、第１上部シワ１４３ａと第１下部シワ１４７ａとの間にシリコンを投入して第１上部翼部１４３と第１下部翼部１４７とを貼り合わせ、その後、シワ１４３ａ、１４７ａに沿って所定の間隔でリベットにより結合する。
ここで、第１連結体１４１の内部空間に発泡スチロールなどの浮力物質を充填してもよい。
【００８３】
第２連結体１５１は、第２上部体１５２及び第２下部体１５６から構成される。第２上部体１５２は、下面が開放された箱状に形成され、下部には第２上部翼部１５３が側方に突設される。第２上部翼部１５３には、縁部に沿って内側に第２上部シワ１５３ａが２列に形成される。また、第２上部翼部１５３は、幅方向部１５３ｂが長手方向部１５３ｃより低く、段差を有するように形成される。
【００８４】
第２上部体１５２の上面には、スリップ防止突起１５２ａが縦横に複数交差配列され、第２上部体１５２の側面には、剛性補強のためのリブ１５２ｂが複数形成される。また、第２上部体１５２の一側面には、空気孔１５４及び一方向バルブ１５５が設けられてもよい。
第２上部体１５２の側面のうち幅方向の側面部１５２ｄには、内側に凹んだ凹部が形成される。
【００８５】
第２下部体１５６は、上面が開放された箱状に形成され、上部には第２下部翼部１５７が側方に突設される。第２下部翼部１５７には、縁部に沿って内側に第２下部シワ１５７ａが２列に形成される。また、第２下部翼部１５７は、幅方向部１５７ｂが長手方向部１５７ｃより低く、段差を有するように形成される。
【００８６】
第２下部体１５６の下面には、スリップ防止溝１５６ａが縦横に複数交差配列され、第２下部体１５６の側面には、剛性補強のためのリブ１５６ｂが複数形成される。
第２下部体１５６の側面のうち幅方向の側面部１５６ｄには、内側に凹んだ凹部が形成される。
【００８７】
第２上部翼部１５３と第２下部翼部１５７とが当接して結合されて第２連結翼部１５３、１５７を構成する。
【００８８】
第２上部体１５２と第２下部体１５６とを結合して第２連結体１５１を構成する方式は、第１連結体１４１と同様であるので、説明を省略する。
【００８９】
第１連結体１４１と第２連結体１５１とを長手方向に交互に連結して１つの構造体を形成することができる。当該構造体の長さは、支持する太陽光パネル３０の大きさや数によって調整することができる。第１連結体１４１と第２連結体１５１とが連結される際に、第１連結体１４１の第１連結翼部１４３、１４７と第２連結体１５１の第２連結翼部１５３、１５７とは当接しないで段差を形成するので干渉しなくなる（図１０参照）。
【００９０】
浮力体１１０の主翼部１１１ａ、１２２に第１連結体１４１の第１連結翼部１４３、１４７及び第２連結体１５１の第２連結翼部１５３、１５７が結合されることにより、浮力体１１０と連結体１４０とが結合される。浮力体１１０の主翼部１１１ａ、１２２に第１連結体１４１の第１連結翼部１４３、１４７及び第２連結体１５１の第２連結翼部１５３、１５７が載置され、ネジ孔１１６、１４９及びネジ孔１１６、１５９に螺合される。
【００９１】
前述した実施形態の応用実施形態として、浮力体１１０の内部空間Ｓ１、Ｓ２に砂などの土砂類、石材又は鉄材などを挿入した場合は、太陽光パネル３０を設置できる架台として機能することができる。
【００９２】
一方、図１８は前述した実施形態の浮力体１１０を重ねて積載した状態を示す。図示のように、浮力体１１０を回転対称状に対向させて積み上げてもよい。ここで、下方の浮力体１１０の積載用溝１１７ｂに上方の浮力体１１０の積載用突起１１７ａが一部挿入され、上方の浮力体１１０の積載用溝１１７ｂに下方の浮力体１１０の積載用突起１１７ａが一部挿入されることにより、積載が容易に行われる。
【００９３】
以上、本発明の好ましい実施形態により本発明を詳細に説明したが、本発明の属する技術の分野における通常の知識を有する者であれば、本発明の要旨及び範囲を逸脱しない限り、前述した実施形態から様々な変形が可能であることを理解するであろう。よって、本発明の権利範囲は、前述した実施形態に限定されて定められてはならず、添付の特許請求の範囲及びその均等物により定められるべきである。
【符号の説明】
【００９４】
１０    浮力体
１１    上部体
１２    突出部
１３    第１支持台
１４    第２支持台
１５    取付け部
１６    結合溝
１７    ボルト
１８    クランプ
１９    空気孔
１９ａ    一方向バルブ
２０    下部体
２１    翼部
２２    下面
２３    第１ネジ孔
３０    太陽光パネル
４０    連結体
４１    凹溝部
４２    第２ネジ孔
４３    空気孔
４３ａ    一方向バルブ
４５    第２連結体
４６    第２凹溝部
４７    第３ネジ孔
４８    空気孔
４８ａ    一方向バルブ
４９    第２翼部
５０    固定ピン
５５    支持管
１１０    浮力体
１１１    上部体
１１１ａ    上部翼部
１１２    突出部
１１２ａ    スリップ防止突起
１１３    第１支持台
１１４    第２支持台
１１５    上部通気部
１１６    ネジ孔
１１７ａ    積載用突起
１１７ｂ    積載用溝
１１８    クランプ
１１９    上部シワ
１２１    下部体
１２２    下部翼部
１２３    下面
１２３ａ    スリップ防止溝
１２４    支持部
１２５    下部通気部
１２９    下部シワ
１３０    リベット
１４０    連結体
１４１    第１連結体
１４２    第１上部体
１４２ａ    スリップ防止突起
１４２ｂ    リブ
１４３    第１上部翼部
１４３ａ    第１上部シワ
１４４    空気孔
１４５    一方向バルブ
１４６    第１下部体
１４６ａ    スリップ防止溝
１４６ｂ    リブ
１４７    第１下部翼部
１４７ａ    第１下部シワ
１５１    第２連結体
１５２    第２上部体
１５２ａ    スリップ防止突起
１５２ｂ    リブ
１５２ｄ    側面部
１５３    第２上部翼部
１５３、１５７    第２連結翼部
１５３ａ    第２上部シワ
１５３ｂ    幅方向部
１５３ｃ    長手方向部
１５４    空気孔
１５５    一方向バルブ
１５６    第２下部体
１５６ａ    スリップ防止溝
１５６ｂ    リブ
１５６ｄ    側面部
１５７    第２下部翼部
１５７ａ    第２下部シワ
１５７ｂ    幅方向部
１５７ｃ    長手方向部
【図１】
0005934263.tif 000002
【図２】
0005934263.tif 000003
【図３】
0005934263.tif 000004
【図４】
0005934263.tif 000005
【図５】
0005934263.tif 000006
【図６】
0005934263.tif 000007
【図７】
0005934263.tif 000008
【図８】
0005934263.tif 000009
【図９】
0005934263.tif 000010
【図１０】
0005934263.tif 000011
【図１１】
0005934263.tif 000012
【図１２Ａ】
0005934263.tif 000013
【図１２Ｂ】
0005934263.tif 000014
【図１２Ｃ】
0005934263.tif 000015
【図１２Ｄ】
0005934263.tif 000016
【図１３】
0005934263.tif 000017
【図１４Ａ】
0005934263.tif 000018
【図１４Ｂ】
0005934263.tif 000019
【図１４Ｃ】
0005934263.tif 000020
【図１４Ｄ】
0005934263.tif 000021
【図１５Ａ】
0005934263.tif 000022
【図１５Ｂ】
0005934263.tif 000023
【図１６】
0005934263.tif 000024
【図１７Ａ】
0005934263.tif 000025
【図１７Ｂ】
0005934263.tif 000026
【図１８】
0005934263.tif 000027